(57)【特許請求の範囲】
【請求項１】
オプション機能に応じた制御を実行するオプション制御手段をメイン制御手段に接続することにより，前記オプション制御手段に応じた機能を付加したシステムに拡張される複写機システムにおいて，
前記オプション制御手段の接続状態および機能を検出する手段と，
前記オプション制御手段が前記メイン制御手段に接続されたことが検出された場合，電源制御信号の制御を前記オプション制御手段に移行する手段と，
前記電源制御信号の制御を前記オプション制御手段に移行する手段によって電源制御信号の制御が前記オプション制御手段に移行された場合，システム全体の省電力制御モードを，前記オプション制御手段の接続状態および機能を検出する手段によって検出された前記オプション制御手段の機能に応じた省電力制御を実行するように制御する電源制御手段と，を備えることを特徴とする複写機システム。
【発明の詳細な説明】
【０００１】
【発明が属する技術分野】
本発明は，ユーザの使用環境に合わせて，たとえばファクシミリ送受信機能やプリンタ機能などの機能を拡張することのできる，いわゆる複合型のデジタル複写機などの複写機システムに関し，特に，拡張機能用のサブコントローラを未接続／接続によるシステムの構成に応じた最適な省電力制御を行う複写機システムに関する。
【０００２】
【従来の技術】
従来，複写機システムやファクシミリ装置などにおいて，通常動作時に対して待機時の消費電力を節減するための制御が行われている。たとえば，ファクシミリ装置においては，特開昭５７−１６８５７３号公報に開示されているように，システム・コントロール・ユニット（制御回路）をマスターＣＰＵとスレーブＣＰＵの２つで構成させ，待機状態ではスレーブＣＰＵのみを動作させてシステムの状態監視を行い，あらかじめ決定された主電源の投入要因を検出すると，スレーブＣＰＵが主電源の投入動作を行うと共に，主電源投入後にあってはスレーブＣＰＵはマスターＣＰＵに隷属し，マスターＣＰＵからのコマンドに従って動作させることにより待機時の消費電力の節減を実現している。
【０００３】
また，従来の複写機システムでは，消費電力の節減のために以下のような制御を行っている。まず，システム構成について説明すると，複合型のデジタル複写機にファクシミリ機能やプリンタ機能を拡張する場合，デジタル複写機の主制御部であるメインコントローラに，ファクシミリ機能やプリンタ機能などの各機能に対応する専用のサブコントローラを接続している。
【０００４】
このような一般的な複写機にあっては，電力の消費を低減するため，電力を最も消費する定着ヒータの設定温度をコピー時（通常モード）と，待機時（余熱モード）とにおいてそれぞれ異なる２種類の温度（コピー時温度＞待機時温度）を設定できるように設計され，余熱キーの押下により上記待機時温度にて複写機を制御することによって電力消費を抑制していた。
【０００５】
したがって，上記のような拡張対象のサブコントローラをメインコントローラに接続して機能拡張を行うような複写機システムの省電力制御にあっても，操作部に設けられている余熱キーの押下を検出し，この押下信号に基づいて余熱モードに移行していた。
【０００６】
【発明が解決しようとする課題】
しかしながら，上記に示されるような従来の複写機システムのように，サブコントローラが接続された場合，その接続状況およびサブコントローラの機能に応じた省電力制御を行っていないため，システムの構成に応じた最適な省電力制御が実行されないという問題点があった。
【０００７】
また，システムの機能拡張にかかわらず余熱モードなどの省電力制御をメインコントローラが一括して行うため，システムが拡張された場合にメインコントローラの負荷が増大するという問題点があった。
【０００８】
さらに，省電力制御をメインコントローラとサブコントローラとでそれぞれ行い，すなわちシステム構成によって異なる省電力制御を実行する場合，省電力化に関連する表示や操作がメインコントローラとサブコントローラとで異なっっていたり，表示位置や操作位置が分散したりすることにより，オペレータが違和感を感じるため，操作性を低下させるという問題点もあった。
【０００９】
本発明は，上記に鑑みてなされたものであって，サブコントローラの接続状況およびその機能によりシステム全体としての最適な省電力制御モードが異なる場合であっても，システム全体における最適な省電力制御モードを実現し，電力の低減を図ることを第１の目的とする。
【００１０】
また，サブコントローラ接続時の省電力制御の主導権をメインコントローラからサブコントローラに移行することにより，メインコントローラの負荷を低減させることを第２の目的とする。
【００１１】
また，サブコントローラの接続により異なる省電力制御を実行する場合，省電力化に関連する表示や操作を統一化して，その操作を簡単し，操作性を向上させることを第３の目的とする。
【００１２】
【課題を解決するための手段】
上記の目的を達成するために，請求項１に係る複写機システムにあっては，オプション機能に応じた制御を実行するオプション制御手段をメイン制御手段に接続することにより，前記オプション制御手段に応じた機能を付加したシステムに拡張される複写機システムにおいて，前記オプション制御手段の接続状態および機能を検出する手段と，前記オプション制御手段が前記メイン制御手段に接続されたことが検出された場合，電源制御信号の制御を前記オプション制御手段に移行する手段と，前記電源制御信号の制御を前記オプション制御手段に移行する手段によって電源制御信号の制御が前記オプション制御手段に移行された場合，システム全体の省電力制御モードを，前記オプション制御手段の接続状態および機能を検出する手段によって検出された前記オプション制御手段の機能に応じた省電力制御を実行するように制御する電源制御手段と，を有するものである。
【００１３】
すなわち，オプション制御手段の接続状態およびそのオプション制御手段が備えている機能に基づいて省電力制御モードを選択することにより，そのシステム構成状況に応じた最適な省電力制御を実行する。また，オプション制御手段が接続された場合，メイン制御手段が，メイン制御手段に電源を供給するメインスイッチをオン、オフする電源制御信号の制御をオプション制御手段に移行することにより，省電力制御仕様に関しての拡張性を確保し，オプション制御手段追加時におけるシステム全体としての省電力制御モードを選択することができる。また，オプション制御手段接続時におけるメイン制御手段の負荷を軽減させる。
【００１６】
また，請求項２に係る複写機システムにあっては，省電力制御状態を知らせる表示手段をさらに備え，前記表示手段を前記メイン制御手段および前記オプション制御手段で共用し，制御するものである。
【００１７】
すなわち，省電力制御状態に関する表示をメイン制御手段およびオプション制御手段で共用することにより，表示制御を行っている制御手段によらず統一した状況表示を行うことができる。
【００１８】
また，請求項３に係る複写機システムにあっては，前記メイン制御手段および前記オプション制御手段は，省電力制御に関する入力を共用し，その入力に対応した省電力制御モードを実行するものである。
【００１９】
すなわち，省電力制御に関する入力をメイン制御手段およびオプション制御手段で共用することにより，省電力制御モードによらず統一した操作を可能にし，オペレータの操作負担を軽減させる。
【００２０】
また，請求項４に係る複写機システムにあっては，前記メイン制御手段は，前記電力制御モードをオペレータにより設定された入力に基づいて移行させるものである。
【００２１】
すなわち，オペレータの入力に基づいて省電力制御モードの移行段階を設定することにより，省電力制御に関してオペレータの使用環境に応じたシステムを構築する。
【００２２】
【発明の実施の形態】
以下，本発明の一実施例を添付図面を参照して説明する。
〔実施例〕
（実施例の構成）
図１は，本実施例に係る複写機システムの制御部における構成を示すブロック図である。図において，この制御部は，大きくは，複写機システム全体を統括的に制御するメイン制御手段としてのメインコントローラ１０１と，オプションとして追加され，たとえばファクシミリ機能を複写機システムに追加する場合などに用いられているオプション制御手段としてのサブコントローラ１０２と，複写機システムの状態を表示したり，各種モードを設定するための操作部１０３と，メインコントローラ１０１とサブコントローラ１０２・操作部１０３に電源を供給する電源ユニット（ＰＳＵ）１０４とから構成されている。また，１３０はメインコントローラ１０１に接続されているメインＳＷである。
【００２３】
メインコントローラ１０１は，制御プログラムに基づいて実際の制御を実行するＣＰＵ１０５と，制御プログラムや制御に必要なデータを格納しておくＲＯＭ１０６と，制御途中のデータを格納するワーキングメモリとして用いられるＲＡＭ１０７と，複写機に設けられているセンサやモータ・定着ヒータ（図示せず）などの負荷の制御を実行するＰＩＯ１０８と，サブコントローラ１０２との通信を行うシリアルＩ／Ｆ１０９と，操作部１０３との通信を行う操作部Ｉ／Ｆ１１０と，後述する電源制御回路１１１とを備えている。
【００２４】
電源制御回路１１１は，サブコントローラ１０２が接続されていない場合にメインＳＷ１３０のＯＮ／ＯＦＦ状態を電源制御信号として電源ユニット（ＰＳＵ）１０４に伝え，メインコントローラ１０１に供給される電源ＶｃｃＳＷをＯＮ／ＯＦＦする構成となっている。なお，１２７はオープンコレクタ回路である。
【００２５】
また，サブコントローラ１０２を接続した場合，メインＳＷ１３０の状態はサブコントローラ１０２にも伝えられ，さらにメインコントローラ１０１の電源制御回路１１１の制御が無効になり，電源制御信号はサブコントローラ１０２が制御する構成となっている。
【００２６】
サブコントローラ１０２は，本実施例の場合，ファクシミリ機能を複写機システムに追加するものである。このサブコントローラ１０２は，メインコントローラ１０１と同様に，制御プログラムに基づいて実際の制御を実行するＣＰＵ１１２と，制御プログラムや制御に必要なデータを格納しておくＲＯＭ１１３と，制御途中のデータを格納するワーキングメモリとして用いるＲＡＭ１１４と，メインコントローラ１０１との通信を行うシリアルＩ／Ｆ１１５と，ＰＩＯ１１６とを備えている。
【００２７】
また，サブコントローラ１０２には，常時通電電源Ｖｃｃが供給されており，メインコントローラ１０１がＯＦＦしてもサブコントローラ１０２の動作を実行できる構成となっている。また，サブコントローラ１０２は，メインコントローラ１０１の復帰トリガとして回線呼び出し信号と原稿セット信号・圧板開信号の監視を行うように構成されている。また，１２８はオープンコレクタ回路である。
【００２８】
操作部１０３は，複写機システムの状態を表示するＬＣＤ／ＬＥＤ１２０と，オペレータが操作するキー１２１と，ＬＣＤ／ＬＥＤ１２０およびキー１１９を制御し，メインコントローラ１０１への押下キー情報を伝えたり，メインコントローラ１０１の制御による表示を行う操作制御部１２１と，表示手段としての余熱ＬＥＤ１２２と，余熱キー１２３とを備えている。
【００２９】
電源ユニット（ＰＳＵ）１０４は，メインコントローラ１０１とサブコントローラ１０２・操作部１０３に電源を供給するユニットであり，内部にＶｃｃ遮断回路１２５を備え，メインコントローラ１０１の制御信号によりメインコントローラ１０１側に供給する電源ＶｃｃＳＷをＯＮ／ＯＦＦするように構成されている。電源Ｖｃｃは常時通電状態となっており，サブコントローラ１０２とメインコントローラ１０１の一部回路に電源を供給するものである。
【００３０】
また，余熱キー１２３の状態はメインコントローラ１０１のＰＩＯ１０８とサブコントローラ１０２のＰＩＯ１１６との何れからでも監視できる回路構成となっている。また，メインコントローラ１０１の電源ＶｃｃＳＷ遮断時において，余熱キー１２３およびメインＳＷ１３０の信号をサブコントローラ１０２が検知できるように常時通電電源Ｖｃｃによってプルアップしている。
【００３１】
また，メインコントローラ１０１のＰＩＯ１０８入力にシリーズで挿入されているダイオード１２５は，メインコントローラ電源ＶｃｃＳＷがＯＦＦ時に，常時通電電源Ｖｃｃがメインコントローラ１０１内の回路に回り込まないように設けられている。
【００３２】
余熱ＬＥＤ１２２は，メインコントローラ１０１とサブコントローラ１０２のＬＥＤ制御信号をオープンコレクタ回路１２６をワイヤードオアで接続し，常時通電電源Ｖｃｃでプルアップされた回路構成となっており，メインコントローラ１０１とサブコントローラ１０２の何れかで余熱ＬＥＤ１２２を制御できる構成となっている。なお，本実施例における電源制限信号の真理表を表１に示す。
【００３３】
【表１】
0003578855.tif 000002
【００３４】
（実施例の動作）
次に，複写機システムの制御部における動作について
（１）サブコントローラ１０２が未接続である場合
（２）サブコントローラ（ファクシミリコントロールユニット：ＦＣＵ）１０２が接続された場合
の２つ場合に分けて説明する。
【００３５】
なお，サブコントローラ１０２の装着状態およびその機能の検出は，メインコントローラ１０１とサブコントローラ１０２とが相互に相手の状態を確認しながら信号伝送を行うハンドシェーク方式を用いる。すなわち，あらかじめ設定されたアプリケーションとシステム本体とのコマンドのハンドシェークにより行われる。
【００３６】
（１）サブコントローラ１０２が未接続である場合
図２は，サブコントローラ１０２が未接続である場合におけるモード状態遷移図であり，２０１は通常動作モード，２０２は余熱モード，２０３は省電力モードである。なお，これらの各モードの詳細については後述する。以下，図２において，各モードから次のモードへの移行をａ〜ｅの順に説明する。
【００３７】
ａ：通常動作モード２０１から余熱モード２０２への移行
通常動作モード２０１の状態において，システムのアイドル状態を一定時間継続して検出し，さらに操作部１０３からの余熱キー１２３押下検出の通知を受信した場合，メインコントローラ１０１は，余熱ＬＥＤ１２２を点灯し，操作部１０３に対して表示停止を通知する。これにより，システムは余熱モード２０２に移行される。
【００３８】
ｂ：余熱モード２０２から通常動作モード２０１への移行
余熱モード２０２の状態において，メインコントローラ１０１は，圧板開や原稿セットのセンサ入力を検出した場合，あるいは操作部１０３からの余熱キー１２３押下の検出通知を受信した場合，余熱ＬＥＤ１２２の消灯を行い，さらに操作部１０３に対して表示再開の要求を行う。これにより，システムは通常動作モード２０１に移行される。
【００３９】
ｃ：余熱モード２０２から省電力モード２０３への移行
余熱モード２０２の状態において，システムのアイドル状態を一定時間継続して検出した場合，メインコントローラ１０１はメインスイッチオフ要求信号を出力する。これにより，メインＳＷ１３０がＯＦＦされ，システムへの電源供給停止要求信号がアサートされる。そして，電源ユニット（ＰＳＵ）１０４がシステムへの電源供給を停止することにより，システムは省電力モード２０３に移行される。
【００４０】
ｄ：通常動作モード２０１から省電力モード２０３への移行
通常動作モード２０１の状態において，メインＳＷ１３０がオペレータによりＯＦＦされると，そのメインＳＷ１３０のステータス信号が電源ユニット（ＰＳＵ）１０４に対するシステム電源供給停止信号となり，電源ユニット（ＰＳＵ）１０４はシステムへの電源供給を停止する。これにより，システムは省電力モード２０３に移行される。
【００４１】
ｅ：省電力モード２０３から通常動作モード２０１への移行
省電力モード２０３の状態において，メインＳＷ１３０がオペレータによりＯＮされると，システム電源供給停止信号がネゲートされ，電源ユニット（ＰＳＵ）１０４はシステムへの電源供給を再開する。これにより，システムは通常動作モード２０１に移行される。
【００４２】
（２）サブコントローラ（ファクシミリコントロールユニット：ＦＣＵ）１０２が接続された場合
図３は，サブコントローラ（ファクシミリコントロールユニット：ＦＣＵ）１０２が接続された場合におけるモード状態遷移図であり，２０１は通常動作モード，２０２は余熱モード，３０１は簡易夜間モード，３０２は夜間省電力モード，３０３は余熱省電力モードモードである。なお，これらの各モードの詳細については後述する。以下，図３において，各モードから次のモードへの移行をＡ〜Ｊの順に説明する。
【００４３】
Ａ：通常動作モード２０１から余熱モード２０２への移行
通常動作モード２０１の状態において，システムのアイドル状態を一定時間継続して検出し，さらに操作部１０３からの余熱キー１２３押下検出の通知を受信した場合，メインコントローラ１０１は，余熱ＬＥＤ１２２を点灯し，操作部１０３に対して表示停止要求を通知する。これにより，システムは余熱モード２０２に移行される。
【００４４】
Ｂ：余熱モード２０２から余熱省電力モード３０３への移行
余熱モード２０２の状態において，システムのアイドル状態を一定時間継続して検出されると，メインコントローラ１０１からのシステム電源供給停止要求にしたがって，サブコントローラ１０２はシステム電源供給停止要求信号をアサートする，これにより，システムは余熱省電力モードに移行される。
【００４５】
Ｃ：余熱モード２０２から通常動作モード２０１への移行
余熱モード２０２の状態において，メインコントローラ１０１は，圧板開や原稿セットのセンサ入力を検出した場合，あるいは操作部１０３からの余熱キー１２３押下の検出通知を受信した場合，余熱ＬＥＤ１２２の消灯を行い，さらに操作部１０３に対して表示再開の要求を行う。これにより，システムは通常動作モード２０１に移行される。
【００４６】
Ｄ：余熱モード２０２から簡易夜間モード３０１への移行
余熱モード２０２の状態において，メインコントローラ１０１は，メインＳＷ１３０のＯＦＦを検出すると，余熱ＬＥＤ１２２を消灯し，システムを簡易夜間モード３０１へ移行させる。
【００４７】
Ｅ−１／Ｅ−２：余熱省電力モード３０３から通常動作モード２０１，または余熱モード２０２への移行
余熱省電力モード３０３の状態において，余熱キー１２３の押下，あるいは圧板開や原稿セットのセンサ入力，通信回線からの呼び出し信号の入力がサブコントローラ１０２において検出されると，余熱ＬＥＤ１２３を消灯させ，システム電源供給停止信号をネゲートする。
【００４８】
さらに，システム電源の供給再開後，サブコントローラ１０２はシステム電源供給再開の要因をメインコントローラ１０１に通知し，このときシステム電源の供給再開の要因が余熱キー１２３の押下や圧板開や原稿セットのセンサ入力の検出である場合，操作部１０３に対して表示再開要求を行って，システムを通常動作モード２０１に移行させる。
【００４９】
また，上記において，通信回線からの呼び出し信号の入力検出であった場合，操作部１０３に対して表示再開要求を行わず，システムを余熱モード２０２に移行させる。
【００５０】
Ｆ：通常動作モード２０１から簡易夜間モード３０１への移行
通常動作モード２０１の状態において，メインコントローラ１０１はメインＳＷ１３０のＯＦＦ状態を検出すると，操作部１０３に対して表示停止要求を行い，システムを簡易夜間モード３０１へ移行させる。
【００５１】
Ｇ：簡易夜間モード３０１から通常動作モード２０１への移行
簡易夜間モード３０１の状態において，メインコントローラ１０１はメインＳＷ１３０のＯＮ状態を検出すると，操作部１０３に対して表示再開要求を行い，システムを通常動作モード２０１へ移行させる。
【００５２】
Ｈ：簡易夜間モード３０１から夜間省電力モード３０２への移行
簡易夜間モード３０１の状態において，メインコントローラ１０１は，システムのアイドル状態を一定時間継続して検出すると，サブコントローラ１０２に対してシステム電源供給停止要求を行う。次いで，サブコントローラ１０２はメインコントローラ１０１からのシステム電源供給停止要求に基づいて，システム電源供給停止信号をアサートする。これにより，システムは夜間省電力モード３０２へ移行される。
【００５３】
Ｉ−１／Ｉ−２：夜間省電力モード３０２から簡易夜間モード３０１，または通常動作モード２０１への移行
夜間省電力モード３０２の状態において，サブコントローラ１０２は通信回線からの呼び出し信号の検出あるいはメインＳＷ１３０のＯＮ状態を検出すると，システム電源供給信号をネゲートする。これにより，システム電源の供給が再開される。
【００５４】
システム電源の供給再開後，サブコントローラ１０２はシステム電源供給再開の要因をメインコントローラ１０１に通知する。そして，この要因が通信回線からの呼び出し信号の検出であった場合，操作部１０３に対して表示再開要求を行わず，システムは簡易夜間モード３０１へ移行される。
【００５５】
また，上記において，メインＳＷ１３０のＯＮ状態を検出した場合は，操作部１０３に対して表示再開要求を行って，システムを通常動作モード２０１に移行させる。
【００５６】
Ｊ：余熱省電力モード３０３から夜間省電力３０２への移行
余熱省電力モード３０３の状態において，メインＳＷ１３０のＯＦＦ状態を検出した場合，サブコントローラ１０２は余熱ＬＥＤ１２２を消灯させ，システムを夜間省電力３０２へ移行させる。
【００５７】
次に，各モードごとにその内容を説明する。
【００５８】
▲１▼  通常動作モード２０１
このモードは通常に動作を行うことができる動作モードであり，すべての入力，たとえばオペレータ入力や通信回線からのリンギング信号入力・ファクシミリ網からの呼び出し信号入力に応じた処理を実行する。このモードでは，
システム電源：ＯＮ
余熱ＬＥＤ１２２：ＯＦＦ
定着ヒータ：一定温度（即時プリントアウトが可能な温度）
に設定される。
【００５９】
▲２▼  余熱モード２０２
余熱ＬＥＤ１２２を除くすべての表示が消灯され，定着ヒータ設定温度が通常動作モード２０１に対して低い温度で設定されている状態にし，余熱キー１２３の入力の検出を行っている。このモードでは，
システム電源：ＯＮ
余熱ＬＥＤ１２２：ＯＮ
定着ヒータ：消費電力を抑制するために通常動作モード２０１より低い温度
に設定される。
【００６０】
▲３▼  省電力モード２０３
システム電源がＯＦＦされている状態で，オペレータによるメインＳＷ１３０のＯＮ操作により通常動作モード２０１へ移行するモードである。このモードでは，
システム電源：ＯＦＦ
余熱ＬＥＤ１２２：ＯＦＦ
定着ヒータ：ＯＦＦ
に設定される。
【００６１】
▲４▼  余熱省電力モード３０３
システム電源がＯＦＦされている状態で，オペレータによる余熱キー１２３入力の検出を行っているモードである。このモードでは，
システム電源：ＯＦＦ
余熱ＬＥＤ１２２：ＯＮ
定着ヒータ：ＯＦＦ
に設定される。
【００６２】
▲５▼  簡易夜間モード３０１
すべての表示が消灯され，定着ヒータへの電力供給が停止される状態のモードである。このモードにおけるオペレータ操作は，メインＳＷ１３０のみ受け付けられる。また，サブコントローラ（ＦＣＵ）１０２が接続された場合，通信回線からの呼び出し信号，ファクシミリ網からの呼び出し信号の入力検出も行われている。このモードでは，
システム電源：ＯＮ
余熱ＬＥＤ１２２：ＯＦＦ
定着ヒータ：ＯＦＦ
に設定される。
【００６３】
▲６▼  夜間省電力モード３０２
システム電源供給が停止している状態で，メインＳＷ１３０のＯＮ操作以外のオペレータ入力は受け付けない。また，サブコントローラ（ＦＣＵ）１０２が接続された場合，通信回線からのリンギング信号，ファクシミリ網からの呼び出し信号の入力検出によりモード移行される。このモードでは，
システム電源：ＯＦＦ
余熱ＬＥＤ１２２：ＯＦＦ
定着ヒータ：ＯＦＦ
に設定される。
【００６４】
また，上記実施例において，オペレータによって，サブコントローラ１０２が未接続の場合，“省電力モード２０３へ移行する，移行しない”，また，サブコントローラ１０２が接続された場合，“余熱省電力モード３０３へ移行する，移行しない”の設定を操作部１０３を介して行われる。
【００６５】
そして，オペレータの設定に基づいてモード遷移が実行される。これは比較的，頻繁にコピーまたはファクシミリが使用されるような環境である場合，省電力モード２０３あるいは余熱省電力モード３０３へ移行した場合，各コントローラへの電源供給が停止してしまうため，初期化のための処理時間が必要となるので，システムが使用できるようになるまでの時間が，余熱モード２０２や簡易夜間モード３０１と比較して長くかかる。このため，上記のようにオペレータの使用環境に合わせた設定が行えるようになっている。
【００６６】
なお，以上の実施例ではサブコントローラ１０２としてファクミリコントロールユニット（ＦＣＵ）を接続してファクシミリ機能の場合を例にとって説明したが，他の機能であっても適用することができる。たとえば，プリンタ機能を接続する場合には以下のように適用することができる。
【００６７】
（１）オンラインプリンタ
オンラインプリンタの場合，基本的にはアプリケーションが接続されていない場合とほぼ同じであるが，オペレータと本体との位置は離れていることが前提となるため，一定時間のアイドル検出からのメインＳＷ１３０のＯＦＦは行わず，オペレータによりメインＳＷ１３０がＯＦＦされた場合のみ省電力モード２０３への移行を実行する。
【００６８】
（２）オフラインプリンタ（小容量のメディア使用の場合）
フロッピーディスクなどの小容量メディアを使用する場合，印刷するときには装置の設置場所に行ってメディアを装置に挿入し，印刷を行った後に，メディアをぬいてしまうので，ほぼ通常のコピーを使用するのと同様な使用形態が想定されるが，動作モードとしては，ファクシミリ機能とほぼ同様なモード遷移を実行する。
【００６９】
また，夜間省電力モード３０１の代わりに省電力モード２０３になり，フロッピーディスクが挿入されていない状態での一定時間のアイドル検出で，メインコントローラ１０１によりメインＳＷ１３０がＯＦＦされる。
【００７０】
さらに，余熱省電力モード３０３では，フロッピーディスクの挿入検出部のみに電源が供給され，フロッピーディスクの挿入が検出された場合，メインコントローラ１０１への電源供給を再開し，通常動作モード２０１へ移行する。
【００７１】
（３）オフラインプリンタ（大容量のメディア使用の場合）
ＭＯなどの大容量のメディアを使用する場合，メディアを挿入したままでの使用が想定されるため，メディアが挿入されている場合でも，一定時間のアイドル状態が検出されると，メインコントローラ１０１によりメインＳＷ１３０がＯＦＦされる。また，印刷を行う場合は，オペレータがメインＳＷ１３０をＯＮし，動作モードの遷移は，サブコントローラ１０２なしの状態と同様になる。
【００７２】
（実施例の効果）
次に，以上説明してきた各実施例が奏する効果について列記する。
【００７３】
第１に，サブコントローラ１０２を追加することにより機能拡張を行う複写機システムにおいて，サブコントローラ１０２の接続状況およびサブコントローラ１０２の機能に応じて省電力制御モードを選択するため，システム構成の状況に応じた最適な省電力制御を行うことができる。
【００７４】
第２に，サブコントローラ１０２が接続された場合，省電力制御をサブコントローラ１０２に移行することにより，省電力制御仕様に関しての拡張性が確保され，さらにサブコントローラ１０２追加時におけるシステム全体としての省電力制御方法の選択を行うことができる。したがって，サブコントローラ１０２接続時におけるメインコントローラ１０１の負荷を低減することができる。
【００７５】
第３に，省電力制御に関する表示をメインコントローラ１０１とサブコントローラ１０２とで共用して制御することにより，表示制御を行っているコントローラによらず統一した状況表示を行うことができると共に，部品共用化によるコストダウンを図ることもできる。
【００７６】
第４に，省電力制御に関する入力をメインコントローラ１０１とサブコントローラ１０２とで共用することにより，省電力制御モードによらず統一された操作が可能となるため，オペレータの操作負担を軽減させることができると共に，部品共用化によるコストダウンを図ることもできる。
【００７７】
第５に，省電力モードの移行段階をオペレータ入力に基づいて設定することにより，省電力制御に関してオペレータの使用環境に応じたシステムを実現することができる。
【００７８】
【発明の効果】
以上説明したように，本発明に係る複写機システム（請求項１）によれば，オプション制御手段の接続状態および接続されたオプション制御手段の機能に基づいて省電力制御モードを選択するため，そのシステム構成状況に応じた最適な省電力制御を実行することができる。また，オプション制御手段が接続された場合，メイン制御手段に電源を供給するメインスイッチをオン，オフする電源制御信号の制御をオプション制御手段に移行するため，省電力制御仕様に関しての拡張性を確保し，オプション制御手段追加時におけるシステム全体としての省電力制御モードを選択することができる。さらに，オプション制御手段接続時におけるメイン制御手段の負荷を軽減させることができる。
【００８０】
また，本発明に係る複写機システム（請求項２）によれば，省電力制御状態に関する表示をメイン制御手段およびオプション制御手段で共用するため，表示制御を行っている制御手段によらず統一した状況表示を行うことができる。
【００８１】
また，本発明に係る複写機システム（請求項３）によれば，省電力制御に関する入力をメイン制御手段およびオプション制御手段で共用するため，省電力制御モードによらず統一した操作を可能にし，オペレータの操作負担を軽減させることができる。
【００８２】
また，本発明に係る複写機システム（請求項４）によれば，オペレータの入力に基づいて省電力制御モードの移行段階を設定するため，省電力制御に関してオペレータの使用環境に応じたシステムを構築することができる。
【図面の簡単な説明】
【図１】本実施例に係る複写機システムの制御部における構成を示すブロック図である。
【図２】本実施例に係るサブコントローラが未接続である場合におけるモード状態遷移図である。
【図３】本実施例に係るサブコントローラ（ファクシミリコントロールユニット：ＦＣＵ）が接続された場合におけるモード状態遷移図である。
【符号の説明】
１０１  メインコントローラ          １０２  サブコントローラ
１０３  操作部                      １０４  電源ユニット（ＰＳＵ）
１１１  電源制御回路                １２２  余熱ＬＥＤ
１２３  余熱キー                    １３０  メインＳＷ
【図１】
0003578855.tif 000003
【図２】
0003578855.tif 000004
【図３】
0003578855.tif 000005